(57)【要約】【課題】任意の供給形態により高酸素濃度空気を供給できるようにすることで、利用者に快適空間を提供でき、健康にも有用となることで更なる満足・魅力を提供する。【解決手段】給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給する。【選択図】図１
2005147606.tif 000002
【特許請求の範囲】
【請求項１】
給湯器本体に高酸素濃度空気を作り出す酸素富化膜と、空気を送り出すエアーポンプとを備え、前記エアーポンプから供給される高酸素濃度空気を複数の供給形態より選択し任意の供給形態により供給可能な構成とした給湯器システム。
【請求項２】
給湯器本体からリモコンに高酸素濃度空気を供給するエア用配管を設け、遠隔操作用リモコンに設けた送風口から高酸素濃度空気を供給するようにした請求項１に記載の給湯器システム。
【請求項３】
給湯器本体からリモコンに高酸素濃度空気を供給するエア用配管を設け、前記リモコンにはヘッドセットを介して高酸素濃度空気を供給できる接続部を設けた請求項１に記載の給湯器システム。
【請求項４】
給湯器本体から給湯器を熱源とするエアコンに高酸素濃度空気を供給するエア用配管を設け、前記給湯器を熱源とするエアコンより高酸素濃度空気を送風できる構成とした請求項１記載の給湯器システム。
【請求項５】
給湯器本体から給湯器を熱源とする浴室暖房機に高酸素濃度空気を供給するエア用配管を設け、前記給湯器を熱源とする浴室暖房機より高酸素濃度空気を送風できる構成とした請求項１記載の給湯器システム。
【請求項６】
給湯器を遠隔操作するリモコンに高酸素濃度空気の送風の入り切りができる操作部を設けた請求項１〜５のいずれか１項記載の給湯器システム。
【発明の詳細な説明】
【技術分野】
【０００１】
本発明は、高酸素濃度空気を供給できるようにした給湯器システムに関するものである。
【背景技術】
【０００２】
従来、この種の給湯器システムは、温水を供給しているのみであった（例えば、特許文献１参照）。
【０００３】
図７は、上記特許文献１に記載された従来の給湯器システムを示すものである。図７に示すように、給湯器本体１と熱交換器３と給湯配管４と遠隔操作するリモコン２とから構成されている。
【特許文献１】特開平５−２８８４０２号公報
【発明の開示】
【発明が解決しようとする課題】
【０００４】
しかしながら、前記従来の構成では、温水を供給するという機能しか利用者に与えられず、更なる満足・魅力がなく利用範囲が限られるものであった。近年、生活レベルの向上に伴い、給湯器においても、快適性の向上につながる種々の機能が要求されている現状がある。
【０００５】
本発明は、前記従来の課題を解決するもので、高酸素濃度空気を供給できるようにすることで利用者に快適空間を提供でき、健康にも有用となることで更なる満足・魅力を提供することを目的とする。
【課題を解決するための手段】
【０００６】
前記従来の課題を解決するために、本発明の給湯器システムは、給湯器本体に高酸素濃度空気を作り出す酸素富化膜と、空気を送り出すエアーポンプとを備え、複数の供給形態に対して、高酸素濃度空気を供給できることを特徴としたものである。
【０００７】
これによって、色々な供給形態により、利用者に快適空間を提供でき、健康にも有用となることで更なる満足・魅力を提供することができる。
【発明の効果】
【０００８】
本発明の給湯器システムは、遠隔操作するリモコンや給湯器を熱源とするエアコン、さらには浴室暖房機というように、異なる供給形態より高酸素濃度空気を供給することができる。
【発明を実施するための最良の形態】
【０００９】
第１の発明は、給湯器本体に高酸素濃度空気を作り出す酸素富化膜と、空気を送り出すエアーポンプとを備え、前記エアーポンプから供給される高酸素濃度空気を複数の供給形態より選択し任意の供給形態により供給可能な構成としたことを特徴とするもので、高酸素濃度空気を作り出す酸素富化ユニットは給湯器本体に内蔵し、給湯器本体と関連する装置を介して高酸素濃度空気を供給することで、使用形態に即した供給形態を容易に確保することができる。
【００１０】
第２の発明は、特に、第１の発明により供給された高酸素濃度空気を、給湯器本体と給湯器を遠隔操作するリモコンとをつなぐエア用配管を設け、給湯器を遠隔操作するリモコンに送風できるヘッドセットを接続できる接続部を備えることにより、給湯器を遠隔操作するリモコンに接続されたヘッドセットから送風することができる。
【００１１】
第３の発明は、特に、第１の発明により供給された高酸素濃度空気を、給湯器本体と給湯器を遠隔操作するリモコンとをつなぐエア用配管を設け、給湯器を遠隔操作するリモコンに送風できる送風口を備えることにより、給湯器を遠隔操作するリモコンから送風することができる。
【００１２】
第４の発明は、特に、第１の発明により供給された高酸素濃度空気を、給湯器本体と給湯器を熱源とするエアコンとをつなぐエア用配管を設けることにより、給湯器を熱源とするエアコンから送風することができる。
【００１３】
第５の発明は、特に、第１の発明により供給された高酸素濃度空気を、給湯器本体と給湯器を熱源とする浴室暖房機とをつなぐエア用配管を設けることにより、給湯器を熱源とする浴室暖房機から送風することができる。
【００１４】
第６の発明は、特に、第１〜５の発明により供給された高酸素濃度空気の送風を、給湯器を遠隔操作するリモコンに操作部を設けることにより、入り切りできる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯器システムの構成図である。
【００１７】
図１において、給湯器本体１に、吸気用ファン２と、酸素富化膜３と、空気を搬送するエアーポンプ４を備えた構成となっており、エアーポンプ４より供給される高酸素濃度空気は分岐手段４ａにより異なる供給形態の酸素供給部４ｂ、４ｃ、４ｄに供給するようにしている。
【００１８】
以上のように構成された給湯器システムについて、以下その動作、作用を説明する。
【００１９】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より、分岐手段４ａを介して任意に選択した酸素供給部に対して供給する。
【００２０】
以上のように、本実施の形態において給湯器本体１に、吸気用ファン２と酸素富化膜３と空気を搬送するエアーポンプ４を備えることにより、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より任意の酸素供給部へ供給することができる。
【００２１】
（実施の形態２）
図２は、本発明の第２の実施の形態の給湯器システムの構成図である。
【００２２】
図２において、給湯器本体１に、吸気用ファン２と酸素富化膜３と空気を搬送するエアーポンプ４と給湯器本体１と給湯器を遠隔操作するリモコン５とをつなぐエア用配管６とリモコン５に高酸素濃度空気を送風できる送風口７を備えた構成となっている。
【００２３】
以上のように構成された給湯器システムについて、以下その動作、作用を説明する。
【００２４】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給する。酸素濃度が高められた空気は、給湯器本体１と給湯器を遠隔操作するリモコン５（ここでは台所に設置された台所リモコン）とをつなぐエア用配管６によりリモコン５に送られ、リモコン５に備えられた送風口６から送風され高酸素濃度の空気を家庭内の台所へ供給できる。
【００２５】
また、本実施の形態のリモコン５を浴室用リモコンにすることにより、風呂場に高酸素濃度の空気を供給することが出来る。
【００２６】
（実施の形態３）
図３は、本発明の第３の実施の形態の給湯器システムの構成図である。
【００２７】
図３において、給湯器本体１に、吸気用ファン２と酸素富化膜３と空気を搬送するエアーポンプ４と給湯器本体１と給湯器を遠隔操作するリモコン５とをつなぐエア用配管６とリモコン５に高酸素濃度空気を送風できるヘッドセット８を接続できる接続口９を備えた構成となっている。
【００２８】
以上のように構成された給湯器システムについて、以下その動作、作用を説明する。
【００２９】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給する。酸素濃度が高められた空気は、給湯器本体１と給湯器を遠隔操作するリモコン５（ここでは台所に設置された台所リモコン）とをつなぐエア用配管６によりリモコン５に送られ、リモコン５に備えられた接続口９に送風用のヘッドセット８を接続すればヘッドセット８から高酸素濃度の空気を供給できる。
【００３０】
また、本実施の形態のリモコン５を浴室用リモコンにすることにより、風呂場で高酸素濃度の空気を供給することが出来る。
【００３１】
（実施の形態４）
図４は、本発明の第４の実施の形態の給湯器システムの構成図である。
【００３２】
図４において、給湯器本体１に、吸気用ファン２と酸素富化膜３と空気を搬送するエアーポンプ４と給湯器を熱源とするエアコン１０とをつなぐエア用配管６を備えた構成となっている。
【００３３】
以上のように構成された給湯器システムについて、以下その動作、作用を説明する。
【００３４】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給する。酸素濃度が高められた空気は、給湯器本体１と給湯器を熱源とするエアコン１０とをつなぐエア用配管６によりエアコン１０に送られ、エアコン１０の送風口１１より高酸素濃度の空気を家庭内に供給できる。
【００３５】
（実施の形態５）
図５は、本発明の第５の実施の形態の給湯器システムの構成図である。
【００３６】
図５において、給湯器本体１に、吸気用ファン２と酸素富化膜３と空気を搬送するエアーポンプ４と給湯器を熱源とする浴室暖房機１２とをつなぐエア用配管６を備えた構成となっている。
【００３７】
以上のように構成された給湯器システムについて、以下その動作、作用を説明する。
【００３８】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給する。酸素濃度が高められた空気は、給湯器本体１と給湯器を熱源とする浴室暖房機１２とをつなぐエア用配管６により浴室暖房機１２に送られ、浴室暖房機１２の送風口１３より高酸素濃度の空気を浴室に供給できる。
【００３９】
（実施の形態６）
図６は、本発明の第６の実施の形態の給湯器システムの構成図である。
【００４０】
図６においてリモコン５に、第１または２，３，４，５の発明により供給された高酸素濃度空気の送風を入り切りできる操作部１４を備えた構成となっている。
【００４１】
以上のように構成された給湯器システムについて、以下その動作、作用を説明する。
【００４２】
まず、給湯器本体１に備えられた吸気用ファン２により空気をとりこみ、その空気を酸素富化膜３を通すことにより空気中の酸素濃度を高め、酸素濃度が高められた空気をエアーポンプ４にて給湯器本体１より外部へ供給するが、その動作をリモコン５に備えられた操作部１４により入り切りできる。
【産業上の利用可能性】
【００４３】
以上のように、本発明にかかる給湯器システムは、高酸素濃度空気を供給することが可能となるので、家庭や病院、ホテル等の建物内のさまざまな部屋にも適用できる。
【００４４】
なお、本発明の給湯器としてはガス給湯器、石油給湯器の他、電気ヒータを熱源とする電気給湯器やヒートポンプサイクルを用いたヒートポンプ給湯器等に応用される。
【図面の簡単な説明】
【００４５】
【図１】本発明の実施の形態１における給湯器システムの構成図
【図２】本発明の実施の形態２における給湯器システムの構成図
【図３】本発明の実施の形態３における給湯器システムの構成図
【図４】本発明の実施の形態４における給湯器システムの構成図
【図５】本発明の実施の形態５における給湯器システムの構成図
【図６】本発明の実施の形態６における給湯器システムの構成図
【図７】従来の給湯器システムの構成図
【符号の説明】
【００４６】
１  給湯器本体
３  酸素富化膜
４  エアーポンプ
【図１】
2005147606.tif 000003
【図２】
2005147606.tif 000004
【図３】
2005147606.tif 000005
【図４】
2005147606.tif 000006
【図５】
2005147606.tif 000007
【図６】
2005147606.tif 000008
【図７】
2005147606.tif 000009